(57)【特許請求の範囲】
【請求項１】
スケジュール機能を備えた携帯通信端末であって、
被写体を撮影して画像データを生成するカメラと、
揮発性の第１記憶手段と、
不揮発性の第２記憶手段と、
前記カメラにより生成された前記画像データを取り込んで前記第１記憶手段に記憶させ、ユーザからの保存指示に応じて前記第１記憶手段に記憶されている前記画像データを前記第２記憶手段に記憶させる取込手段と、
計時を行う計時手段と、
前記計時手段による計時とスケジュール機能において設定された所定タイミングとが一致するとスケジュール機能を実行する実行手段と、
前記画像データが第１記憶手段に記憶されておりかつユーザの保存指示がなされていないときに、前記所定タイミングよりも前の準備時刻が到来すると、前記第１記憶手段に記憶されている前記画像データを前記第２記憶手段に記憶させる制御手段とを具備したことを特徴とする携帯通信端末。
【請求項２】
アラーム機能を備えた携帯通信端末であって、
被写体を撮影して画像データを生成するカメラと、
揮発性の第１記憶手段と、
不揮発性の第２記憶手段と、
前記カメラにより生成された前記画像データを取り込んで前記第１記憶手段に記憶させ、ユーザからの保存指示に応じて前記第１記憶手段に記憶されている前記画像データを前記第２記憶手段に記憶させる取込手段と、
前記計時手段による計時とアラーム機能において設定された所定タイミングとが一致するとアラーム機能を実行する実行手段と、
前記画像データが第１記憶手段に記憶されておりかつユーザの保存指示がなされていないときに、前記所定タイミングよりも前の準備時刻が到来すると、前記第１記憶手段に記憶されている前記画像データを前記第２記憶手段に記憶させる制御手段とを具備したことを特徴とする携帯通信端末。
【発明の詳細な説明】
【０００１】
【発明の属する技術分野】
本発明は、内蔵または外付けのカメラでの撮影画像を取り込む機能や、画像編集機能を備えた携帯電話機などの携帯通信端末に関する。
【０００２】
【従来の技術】
携帯電話機のような携帯通信端末は近年、音声通話機能にとどまらず、さまざまな機能を持つようになってきている。そのような機能として、内蔵または外付けのカメラでの撮影画像を取り込む画像取込機能や、画像編集機能がある。
【０００３】
画像取込機能では、カメラにより得られた画像データを不揮発性メモリに格納しておくが、撮影された画像についての画像データを全て不揮発性メモリに格納していたのでは、不揮発性メモリの限られた容量の多くを使用してしまうことになってしまう。そこで、カメラにより得られた画像データを揮発性メモリに一時的に格納しておき、ユーザが保存を指示した画像データのみを不揮発性メモリへと格納することが行われている。このように、撮影はしたものの保存する必要がないような画像の画像データは不揮発性メモリに格納することなく破棄することで、不揮発性メモリを必要以上に使用してしまうことを防止している。
【０００４】
一方、画像編集機能では、メモリのアクセススピードなどの関係から、画像データの編集処理は揮発性メモリ上にて行うことが一般的である。そして編集された画像データは、ユーザによる保存指示に応じて不揮発性メモリへと格納している。
【０００５】
このように従来の携帯通信端末では、画像データを揮発性メモリにのみ格納している期間がある。
【０００６】
ところで携帯通信端末は、小型化のためにメモリの搭載量が限られる。このため、揮発性メモリの容量は限られてしまう。この揮発性メモリは、画像取込機能や画像編集機能での画像データの格納のためのみならず、他の処理を行うためにも使用される。そして携帯通信端末は、通話機能などのような画像取込機能や画像編集機能よりも優先して実行されるべき機能が存在するため、そのような機能が割り込んで実行される場合がある。そしてその割り込んで行われる機能の実行に当り不揮発性メモリが使用される場合、不揮発性メモリに格納してあった画像データが消失してしまうおそれがあった。
【０００７】
また、上述のように画像データの一時的な記憶に揮発性メモリを用いていることから、ユーザの意に反して電源がＯＦＦとなった場合には、不揮発性メモリに格納してあった画像データが消失してしまっていた。
【０００８】
【発明が解決しようとする課題】
以上のように従来の携帯通信端末では、画像データを揮発性メモリにのみ格納しておく期間があるために、その画像データがユーザの意に反して消失してしまうという不具合があった。
【０００９】
本発明はこのような事情を考慮してなされたものであり、その目的とするところは、画像データの一時的な記憶に揮発性メモリを用いていながら、他の機能により揮発性メモリが使用されることなどにより画像データが消失してしまうことを防止することが可能な携帯通信端末を提供することにある。
【００１０】
【課題を解決するための手段】
本発明の第１の態様による携帯通信端末は、スケジュール機能を備えた携帯通信端末であって、被写体を撮影して画像データを生成するカメラと、揮発性の第１記憶手段と、不揮発性の第２記憶手段と、前記カメラにより生成された前記画像データを取り込んで前記第１記憶手段に記憶させ、ユーザからの保存指示に応じて前記第１記憶手段に記憶されている前記画像データを前記第２記憶手段に記憶させる取込手段と、計時を行う計時手段と、前記計時手段による計時とスケジュール機能において設定された所定タイミングとが一致するとスケジュール機能を実行する自動起動手段と、前記画像データが第１記憶手段に記憶されておりかつユーザの保存指示がなされていないときに、前記所定タイミングよりも前の準備時刻が到来すると前記第１記憶手段に記憶されている前記画像データを前記第２記憶手段に記憶させる制御手段とを備える。
【００１１】
本発明の第２の態様による携帯通信端末は、アラーム機能を備えた携帯通信端末であって、被写体を撮影して画像データを生成するカメラと、揮発性の第１記憶手段と、不揮発性の第２記憶手段と、前記カメラにより生成された前記画像データを取り込んで前記第１記憶手段に記憶させ、ユーザからの保存指示に応じて前記第１記憶手段に記憶されている前記画像データを前記第２記憶手段に記憶させる取込手段と、前記計時手段による計時とアラーム機能において設定された所定タイミングとが一致するとアラーム機能を実行する実行手段と、前記画像データが第１記憶手段に記憶されておりかつユーザの保存指示がなされていないときに、前記所定タイミングよりも前の準備時刻が到来すると、前記第１記憶手段に記憶されている前記画像データを前記第２記憶手段に記憶させる制御手段とを備える。
【００１４】
【発明の実施の形態】
以下、図面を参照して本発明の一実施形態につき説明する。
【００１５】
図１は本実施形態に係る携帯電話機のブロック図である。
【００１６】
図１に示すように本実施形態の携帯電話機は、メインアンテナ１、サブアンテナ２、無線部３、ベースバンド部４、モデム部５、メモリ部６、マルチメディアコーデック７、ＬＣＤコントローラ８、ＬＣＤ９、カメラモジュール１０、カメラインタフェースコネクタ１１、マイクロホン１２、レシーバ１３、ステレオヘッドセットジャック１４、入力部１５、サウンダ１６、バイブレータ１７、ＵＳＢインタフェースコネクタ１８および電源部１９を有する。
【００１７】
無線部３は、図示はしないが、送信部、デュプレクサ、アイソレータおよび２系統の受信部を有する。そして無線部３は、ベースバンド部４から出力される送信信号（ＨＰＳＫ変調信号）を、送信部で直交変調、アップコンバートおよび電力増幅を行った後、デュプレクサおよびアイソレータを経由してメインアンテナ１に供給し、このメインアンテナ１から図示しない基地局へ向けて送信させる。なお送信部は、高精度の送信利得制御を行うことができる。また無線部３は、図示しない基地局から送信された無線信号をメインアンテナ１およびサブアンテナによりそれぞれ受信して得られた２系統の受信信号を、２系統の受信部でそれぞれダウンコンバートおよび直交復調した上で、ベースバンド部４へと与える。なお、送信部でのアップコンバートや受信部でのダウンコンバートには、シンセサイザ部が発生するローカル信号が用いられる。
【００１８】
ベースバンド部４は、ＬＳＩにより構成される。そしてベースバンド部４は、無線部３へと与える送信信号や無線部３から与えられる受信信号に対するベースバンド信号処理を行う機能、通信制御や周辺回路制御などの制御処理を行う機能、ならびに音声の符号化／復号を行う機能を有する。
【００１９】
モデム部５は、ＬＳＩにより構成される。そしてモデム部５は、送信信号の変調や、受信信号の復調を行う。
【００２０】
メモリ部６は、ＲＡＭ６ａやフラッシュメモリ６ｂを有する。そしてメモリ部６は、各種の設定情報、各種の受信データ、あるいは本装置で作成された各種の送信データなど、さまざまなデータを記憶保持する。
【００２１】
マルチメディアコーデック７は、３つの専用プロセッサコア、各処理専用のハードロジックコア、ならびに３つの専用プロセッサコアで共有する１６ＭビットＳＤＲＡＭを含んで構成されたＬＳＩよりなる。このマルチメディアコーデック７は、ホストＣＰＵに実装するMPEG-4／H.324（Annex C）の制御ソフトウェアと連携して、MPEG-4／H.324（Annex C）を実現するブロックであり、MPEG-4ビデオ符号化処理、音声／オーディオ符号化処理、ならびにH.223多重分離処理を行う。
【００２２】
ＬＣＤコントローラ８は、ＬＳＩにより構成される。このＬＣＤコントローラ８は、マルチメディアコーデック７から与えられる画像データに対しての文字などの合成処理やＬＣＤ９の駆動を行う。
【００２３】
ＬＣＤ９は、反射型カラー液晶ディスプレイが用いられる。このＬＣＤ９は、ＬＣＤコントローラ８の駆動の下に任意の画像を表示する。このＬＣＤ９に表示される画像は、相手端末から送信される映像および自端末が送信している映像の他、端末状態を示す画像やその他のユーザに対して通知するべき任意の情報を示す画像などである。
【００２４】
カメラモジュール１０は、カメラインタフェースコネクタ１１へと任意に装着が可能である。そしてカメラモジュール１０は、カメラインタフェースコネクタ１１へと装着された状態にて任意の被写体を撮影し、画像データを生成する。カメラモジュール１０は、生成した画像データをカメラインタフェースコネクタ１１を介してマルチメディアコーデック７へと与える。
【００２５】
マイクロホン１２は、ユーザが発声した送話音声などの周囲の音を電気信号に変換し、この電気信号を送話信号としてベースバンド部４へと与える。
【００２６】
レシーバ１３は、ベースバンド部４から与えられる受話信号や再生音声信号に基づき拡声出力を行う。
【００２７】
ステレオヘッドセットジャック１４は、ステレオ対応のヘッドセット（図示せず）を接続するためのものである。このステレオヘッドセットジャック１４は、ヘッドセットが接続されているときに、ヘッドセットから出力される送話信号をベースバンド部４へと与えるとともに、ベースバンド部４から出力される受話信号や再生音声信号をヘッドセットへと与える。
【００２８】
入力部１５は、ダイヤルキー、発信キー、電源キー、終了キー、音量調節キー、モード指定キーなどのキー群を有している。そしてこの入力部１５は、これらのキーの押下によるユーザ指示を入力する。
【００２９】
サウンダ１６は、着信音、キー確認音をベースバンド部４の制御の下に出力する。
【００３０】
バイブレータ１７は、着信通知などのための振動動作をベースバンド部４の制御の下に行う。
【００３１】
ＵＳＢインタフェースコネクタ１８は、外部機器を接続するためのものである。このＵＳＢインタフェースコネクタ１８に接続された外部機器とベースバンド部４との間でデータの授受を行うことが可能である。
【００３２】
電源部１９は、ＡＬＢ電池１９ａ、充電回路１９ｂおよびレギュレータ１９ｃを有する。この電源部１９は、各部に必要な電源を供給する。また電源電圧が規定値以下になった時にシステム全体へリセット信号を送出する機能やメモリ部６内のＲＡＭのバックアップ機能も有する。
【００３３】
ところでベースバンド部４は、例えば音声通話機能などのような携帯電話機における周知の一般的な機能を実現するための制御処理を行う手段の他に、取込手段４ａ、編集手段４ｂ、計時手段４ｃ、自動起動手段４ｄ、第１制御手段４ｅおよび第２制御手段４ｆとして動作する。
【００３４】
ここで取込手段４ａは、撮影時にカメラモジュール１０により生成された画像データをマルチメディアコーデック７を介して取り込んでＲＡＭ６ａへと格納する。
【００３５】
編集手段４ｂは、ＲＡＭ６ａに格納されている画像データに対し、ユーザ指示に応じて編集処理を施す。
【００３６】
計時手段４ｃは、計時動作を行って現在時刻を求める。
【００３７】
自動起動手段４ｄは、例えばスケジュール機能、アラーム機能、あるいは自動電源ＯＦＦ機能などを実現するために自動的に起動するべきアプリケーションを設定時刻にて自動起動する。
【００３８】
第１制御手段４ｅは、撮影時や画像編集時にＲＡＭ６ａに格納された画像データをユーザの保存指示に従ってフラッシュメモリ６ｂへと保存する。
【００３９】
そして第２制御手段４ｆは、撮影時や画像編集時にＲＡＭ６ａに格納された画像データを所定の条件に従ってフラッシュメモリ６ｂへと自動保存する。
【００４０】
次に以上のように構成された携帯電話機の動作につき説明する。なお、音声通話機能などのような携帯電話機における一般的な機能を実現するための処理などは従来と同様であるのでその説明は省略する。そしてここでは、撮影時の動作および画像編集時の動作につき詳しく説明する。
【００４１】
ユーザにより撮影機能の起動が指示されたならばベースバンド部４は、図２に示すような撮影処理を開始する。
【００４２】
この撮影処理においてベースバンド部４はまず、入力部１５にて撮影ボタンが押下されるのを待ち受ける（ステップＳＴ１）。そして撮影ボタンが押下されたことを確認したならばベースバンド部４は、カメラモジュール１０に撮影を行わせ、これによりカメラモジュールが生成・出力する画像データをマルチメディアコーデック７を介して取り込み、ＲＡＭ６ａへと格納する（ステップＳＴ２）。このステップＳＴ２の処理は、取込手段４ａによりなされる。
【００４３】
こののちベースバンド部４は、撮影ボタンの押下、保存指示、着信発生、電池残量なし、自動アプリケーション起動の準備時刻の到来、あるいは終了指示のうちのいずれかのイベントが発生するのを待ち受ける（ステップＳＴ３乃至ステップＳＴ８）。なおこの待ち受け状態にあるときには、ＬＣＤ９にてＲＡＭ６ａに格納してある画像データに基づく画像表示を行わせておく。
【００４４】
そして撮影ボタンが押下されたことをステップＳＴ３にて確認した場合にベースバンド部４は、ステップＳＴ２にて新たな画像データの取り込みを行ったのち、再びステップＳＴ３乃至ステップＳＴ８の待ち受け状態に戻る。なおこのときには、ＲＡＭ６ａに空き領域があるならば新たに以前から格納されていた画像データを残したままで新たな画像データを格納するようにしても良いが、そうでないときには以前から格納されていた画像データに新たな画像データを上書きする。
【００４５】
これに対して、保存指示がなされたことをステップＳＴ４で確認したならばベースバンド部４は、ＲＡＭ６ａに格納してある画像データを保存するべくフラッシュメモリ６ｂに格納する（ステップＳＴ９）。そして画像データをフラッシュメモリ６ｂに格納し終えたならばベースバンド部４は、ステップＳＴ１の待ち受け状態に戻る。このステップＳＴ９での処理は第１制御手段４ｅによりなされる。
【００４６】
一方、着信が発生したことをステップＳＴ５にて確認したならばベースバンド部４は、ＲＡＭ６ａに格納してある画像データを自動保存するべくフラッシュメモリ６ｂに格納する（ステップＳＴ１０）。そして画像データをフラッシュメモリ６ｂに格納し終えたならばベースバンド部４は、撮影処理を終了し、発生した着信に対応するための着信処理へと移行する（ステップＳＴ１１）。
【００４７】
また、ＡＬＢ電池１９ａの残量が端末の動作を維持することが困難となるレベルまで低下したことをステップＳＴ６にて確認したならばベースバンド部４は、ＲＡＭ６ａに格納してある画像データを自動保存するべくフラッシュメモリ６ｂに格納する（ステップＳＴ１２）。そして画像データをフラッシュメモリ６ｂに格納し終えたならばベースバンド部４は、撮影処理を終了し、電源ＯＦＦ処理へと移行する（ステップＳＴ１３）。
【００４８】
また、計時手段４ｃによる計時動作により示される現在時刻が、例えばアプリケーションの自動起動が設定された時刻より若干前の時刻に設定される準備時刻に到達したことをステップＳＴ７で確認したならばベースバンド部４は、ＲＡＭ６ａに格納してある画像データを自動保存するべくフラッシュメモリ６ｂに格納する（ステップＳＴ１４）。そして画像データをフラッシュメモリ６ｂに格納し終えたならばベースバンド部４は、撮影処理を終了し、自動起動手段４ｄによる自動アプリケーション起動処理へと移行する（ステップＳＴ１５）。
【００４９】
以上のステップＳＴ１０乃至ステップＳＴ１５の処理は、第２制御手段４ｆにより行われる。
【００５０】
そして、撮影機能の終了がユーザにより指示されたのであればベースバンド部４は、画像データの保存処理などを行うことなく撮影処理を終了する。
【００５１】
さて、画像編集機能の起動が指示されたならばベースバンド部４は、図３に示すような画像編集処理を開始する。
【００５２】
この画像編集処理においてベースバンド部４はまず、編集対象とする画像の指定を受け付ける（ステップＳＴ２１）。そしてベースバンド部４は、指定された画像に対応する画像データをフラッシュメモリ６ｂからＲＡＭ６ａへとコピーする（ステップＳＴ２２）。入力部１５にて撮影ボタンが押下されるのを待ち受ける（ステップＳＴ１）。
【００５３】
こののちベースバンド部４は、画像の変更指示、編集指示、保存指示、着信発生、電池残量なし、自動アプリケーション起動の準備時刻の到来、あるいは終了指示のうちのいずれかのイベントが発生するのを待ち受ける（ステップＳＴ２３乃至ステップＳＴ２９）。なおこの待ち受け状態にあるときには、ＬＣＤ９にてＲＡＭ６ａに格納してある画像データに基づく画像表示を行わせておく。
【００５４】
そして編集対象とする画像の変更がユーザにより指示されたことをステップＳＴ２３で確認したならばベースバンド部４は、処理をステップＳＴ２１に戻す。
【００５５】
編集指示がユーザによりなされたことをステップＳＴ２４にて確認したならばベースバンド部４は、その編集指示に応じた編集処理をＲＡＭ６ａに格納してある画像データに対して施す（ステップＳＴ３０）。そしてこののちにベースバンド部４は、ステップＳＴ２３乃至ステップＳＴ２９の待ち受け状態に戻る。
【００５６】
これに対して、保存指示がなされたことをステップＳＴ２５で確認したならばベースバンド部４は、ＲＡＭ６ａに格納してある画像データを保存するべくフラッシュメモリ６ｂに格納する（ステップＳＴ３１）。そして画像データをフラッシュメモリ６ｂに格納し終えたならばベースバンド部４は、ステップＳＴ２３乃至ステップＳＴ２９の待ち受け状態に戻る。このステップＳＴ３１での処理は第１制御手段４ｅによりなされる。
【００５７】
一方、着信が発生したことをステップＳＴ２６にて確認したならばベースバンド部４は、ＲＡＭ６ａに格納してある画像データを自動保存するべくフラッシュメモリ６ｂに格納する（ステップＳＴ３２）。そして画像データをフラッシュメモリ６ｂに格納し終えたならばベースバンド部４は、撮影処理を終了し、発生した着信に対応するための着信処理へと移行する（ステップＳＴ３３）。
【００５８】
また、ＡＬＢ電池１９ａの残量が端末の動作を維持することが困難となるレベルまで低下したことをステップＳＴ２７にて確認したならばベースバンド部４は、ＲＡＭ６ａに格納してある画像データを自動保存するべくフラッシュメモリ６ｂに格納する（ステップＳＴ３４）。そして画像データをフラッシュメモリ６ｂに格納し終えたならばベースバンド部４は、撮影処理を終了し、電源ＯＦＦ処理へと移行する（ステップＳＴ３５）。
【００５９】
また、計時手段４ｃによる計時動作により示される現在時刻が、例えばアプリケーションの自動起動が設定された時刻より若干前の時刻に設定される準備時刻が到来したことをステップＳＴ２８で確認したならばベースバンド部４は、ＲＡＭ６ａに格納してある画像データを自動保存するべくフラッシュメモリ６ｂに格納する（ステップＳＴ３６）。そして画像データをフラッシュメモリ６ｂに格納し終えたならばベースバンド部４は、撮影処理を終了し、自動起動手段４ｄによる自動アプリケーション起動処理へと移行する（ステップＳＴ３７）。
【００６０】
以上のステップＳＴ３２乃至ステップＳＴ３７の処理は、第２制御手段４ｆにより行われる。
【００６１】
そして、画像編集機能の終了がユーザにより指示されたのであればベースバンド部４は、画像データの保存処理などを行うことなく画像編集処理を終了する。
【００６２】
以上のように本実施形態によれば、着信の発生に応じてや、アプリケーションの自動起動により別の処理が割り込まれる場合には、それに先立って、ＲＡＭ６ａに格納してあった画像データがフラッシュメモリ６ｂへと自動的に格納される。このため、上述のように割り込んで行われる処理によりＲＡＭ６ａが使用されるとしても、画像データはフラッシュメモリ６ｂに格納されて保存されているから消失してしまうことはない。
【００６３】
また本実施形態によれば、ＡＬＢ電池１９ａの残量が端末の動作を維持することが困難となるレベルまで低下したために電源をＯＦＦする場合には、それに先立って、ＲＡＭ６ａに格納してあった画像データがフラッシュメモリ６ｂへと自動的に格納される。このため、メモリ部６への電源供給がＯＦＦされても、画像データはフラッシュメモリ６ｂに格納されて保存されているから消失してしまうことはない。
【００６４】
そしてこれらによりＲＡＭ６ａやフラッシュメモリ６ｂを効率的に使用することが可能となるのであり、メモリの実装量が限られる携帯通信端末では非常に有効となる。
【００６５】
なお、本発明は上記実施形態に限定されるものではない。例えば上記実施形態では、画像データの自動保存を実行する契機となるイベントとして、着信の発生、電池残量なしおよび自動アプリケーション起動の準備時刻の到来を示しているが、これらには限定されない。例えば発信などのような着信以外の通信イベントも撮影機能や画像編集機能を終了させることなしに割込みにより開始可能とするのであれば、このような通信イベントの発生に応じて画像データの自動保存を行っても良い。
【００６６】
また上記実施形態では、Ｗ−ＣＤＭＡ方式の携帯電話機を例示しているが、他の方式の移動通信端末であっても良いし、あるいはＰＨＳ端末のような他種の移動通信端末であっても良い。
【００６７】
このほか、本発明の要旨を逸脱しない範囲で種々の変形実施が可能である。
【００６８】
【発明の効果】
本願各発明によれば、撮影により得られた画像データは、第１記憶手段にて保持できなくなっても、第２記憶手段により記憶しておくことができる。この結果、画像データの一時的な記憶に揮発性メモリを用いていながら、他の機能により揮発性メモリが使用されることなどにより画像データが消失してしまうことを防止することが可能となる。
【図面の簡単な説明】
【図１】本発明の一実施形態に係る携帯電話機のブロック図。
【図２】撮影処理のフローチャート。
【図３】画像編集処理のフローチャート。
【符号の説明】
４…ベースバンド部
４ａ…取込手段
４ｂ…編集手段
４ｃ…計時手段
４ｄ…自動起動手段
４ｅ…第１制御手段
４ｆ…第２制御手段
６…メモリ部
６ｂ…フラッシュメモリ
６ｃ…ＲＡＭ
７…マルチメディアコーデック
１０…カメラモジュール
【図１】
0004060567.tif 000002
【図２】
0004060567.tif 000003
【図３】
0004060567.tif 000004